(57)【要約】【課題】チャック布縁の受ける力が均一になり、外力集中によるチャック歯の脱落やチャック布縁の破損を回避できるチャック歯用固定構造を提供する。【解決手段】チャック歯（１０）と、固定ロープ（２０）とから構成されたチャック歯用固定構造において、チャック歯（１０）は、一側に貫通孔（１１０）が開設されると共に、挟み固定端（１１）が設けられ、挟み固定端（１１）が固定ロープ（２０）を挟むことにより、チャック歯（１０）が固定ロープ（２０）に固定され、全てのチャック歯（１０）が貫通孔（１１０）によって固定ロープ（２０）に等距離をおいて固定することによりチャック歯列を形成し、チャック歯列が固定ロープ（２０）によってチャック布縁（４０）に縫って固定することを特徴とする。【選択図】図３
0003111707.tif 000002
【実用新案登録請求の範囲】
【請求項１】
チャック歯と、固定ロープとから構成されたチャック歯用固定構造において、
前記チャック歯は、一端に貫通孔が開設されると共に、挟み固定端が設けられ、前記挟み固定端が固定ロープを挟むことによりチャック歯が固定ロープに固定され、
全てのチャック歯が貫通孔によって固定ロープに等距離をおいて固定されることによりチャック歯列を形成し、
前記チャック歯列が固定ロープによってチャック布縁に縫って固定されることを特徴とするチャック歯用固定構造。
【請求項２】
前記チャック歯は、射出成形法によって固定ロープに等距離をおいて固定されることにより、固定ロープと一体になることを特徴とする請求項１記載のチャック歯用固定構造。
【請求項３】
前記チャック歯は、金属材料または工程用樹脂材料のうちの何れか一で作製され、
チャック歯の表面は、塗装やメッキのうちの何れか一の方法によって処理され、又は、無処理であることを特徴とする請求項１記載のチャック歯用固定構造。
【考案の詳細な説明】
【技術分野】
【０００１】
本考案は、チャック歯用固定構造に係り、特に、チャック布縁の受ける力が均一になるチャック歯用固定構造に関する。
【背景技術】
【０００２】
チャック歯は、一般にナイロンや工程用樹脂や金属で作製されたものである。図１（Ａ）と図１（Ｂ）に示すのは、工程用樹脂で作製されたチャックＢの構造である。工程用樹脂で作製されたチャック歯Ｂ１は、粘着剤によってチャック布縁Ｂ２に粘着し固定される。図１（Ｂ）は、図１（Ａ）における１Ｂ−１Ｂ線の断面図である。図２（Ａ）と図２（Ｂ）は、金属製のチャックＣの構造である。ダイカストによって成形されたチャック歯Ｃ１の外側の噛合端がチャック布縁Ｃ２にしっかりと固定されている。図２（Ｂ）は、図２（Ａ）における２Ｂ−２Ｂ線の断面図である。
【考案の開示】
【考案が解決しようとする課題】
【０００３】
しかしながら、従来のチャックは、粘着方法によって固定された樹脂製チャックＢ、又は噛合方法によって固定された金属製チャックＣであっても、チャック歯Ｂ１，Ｃ１は一個一個のチャック歯Ｂ１，Ｃ１をチャック布縁Ｂ２，Ｃ２に固定し、一個一個のチャック歯Ｂ１，Ｃ１とチャック布縁Ｂ２，Ｃ２の結合する箇所の面積は極めて小さいので、使用中にチャックＢ，Ｃの受ける力が均一でない場合には、外力が集中するチャック歯Ｂ１，Ｃ１はチャック布縁Ｂ２，Ｃ２から離脱し易くなり、チャックＢ，Ｃが損壊する。
【課題を解決するための手段】
【０００４】
上記欠点を解決するためになされた本願のチャック歯用固定構造に係わる考案は、
チャック歯と、固定ロープとから構成されたチャック歯用固定構造において、
前記チャック歯は、一端に貫通孔が開設されると共に、挟み固定端が設けられ、前記挟み固定端が固定ロープを挟むことによりチャック歯が固定ロープに固定され、
全てのチャック歯が貫通孔によって固定ロープに等距離をおいて固定されることによりチャック歯列を形成し、
前記チャック歯列が固定ロープによってチャック布縁に縫って固定されることを特徴とするものである。
【０００５】
又、前記チャック歯は、射出成形法によって固定ロープに等距離をおいて固定されることにより、固定ロープと一体になることを特徴とするものである。
【０００６】
又、前記チャック歯は、金属材料または工程用樹脂材料のうちの何れか一で作製され、
チャック歯の表面は、塗装やメッキのうちの何れか一の方法によって処理され、又は、無処理であることを特徴とするものである。
【考案の効果】
【０００７】
本考案に係るチャック歯用固定構造によれば、次のような効果がある。
（イ）チャック布縁の受ける力が均一になり、外力集中によるチャック歯の脱落やチャック布縁の破損を回避できる。
【０００８】
（ロ）チャック歯は一側に貫通孔が開設してあり、全てのチャック歯が貫通孔によって固定ロープに等距離をおいて固定することによりチャック歯列を形成し、チャック歯列が固定ロープによってチャック布縁に縫って固定し、又、チャック歯は挟み固定方式または射出成形法によって固定ロープに固定し、チャック歯と固定ロープとが一体になる。
【考案を実施するための最良の形態】
【０００９】
以下、添付図面を参照して本考案の好適な実施の形態を詳細に説明する。
【００１０】
まず、図３を参照する。チャック歯１０は、外側に近接する一端に貫通孔１１０が開設してあり、前記貫通孔１１０の上下側には挟み固定端１１が設けてあり、固定ロープ２０が全てのチャック歯１０にある貫通孔１１０を挿通し、各チャック歯１０が等距離をおいて固定ロープ２０に固定され、挟み固定端１１がしっかりと固定ロープ２０に固定されることにより、チャック歯１０が固定ロープ２０に固定され、図４に示すように、左右対称のチャック歯列が形成される。また、図５を参照すると、縫い線４１によってチャック歯列にある固定ロープ２０をチャック布縁４０に縫うと、図６に示すように、チャック５が形成される。チャック５の一部に外力を受ける場合には、上記チャック歯用固定構造によって外力が固定ロープ２０に均一に分散し、チャック布縁４０の受ける力も均一になり、これにより、応力集中によるチャック歯１０の脱落やチャック布縁４０の破損を回避することができる。チャック５のチャック歯１０の表面は、塗装やメッキのうちの何れか一の方法によって処理されてもいいし、無処理でもいい。
【００１１】
図７、図８は、本考案に係る実施例２の構造であって、チャック６のチャック歯６０は工程用樹脂で作製され、チャック歯６０は射出成形法によって固定ロープ６１に等距離をおいて固定し、チャック布縁６２に固定ロープ６１を縫って固定すると、図８に示すように、チャック６が形成される。
【図面の簡単な説明】
【００１２】
【図１】図１（Ａ）は、従来の樹脂製チャックの斜視図、図１（Ｂ）は、図（Ａ）の１Ｂ−１Ｂ線の断面図である。
【図２】図２（Ａ）は、従来の金属製チャックの斜視図、図２（Ｂ）は、図（Ａ）の２Ｂ−２Ｂ線の断面図である。
【図３】本考案に係る実施例１の分解斜視図である。
【図４】本考案に係る実施例１の組合せ状態の斜視図である。
【図５】本考案に係る実施例１を布縁に縫った状態を示す上面図である。
【図６】図５に示すチャックの斜視図である。
【図７】本考案に係る実施例２の斜視図である。
【図８】本考案に係る実施例２を布縁に縫った状態を示す上面図である。
【符号の説明】
【００１３】
１０      チャック歯
１１      挟み固定端
１１０    貫通孔
２０      固定ロープ
４０      チャック布縁
４１      縫い線
５，６    チャック
６０      チャック歯
６１      固定ロープ
６２      チャック布縁
Ｂ，Ｃ    チャック
Ｂ１，Ｃ１    チャック歯
Ｂ２，Ｃ２    チャック布縁
【図１】
0003111707.tif 000003
【図２】
0003111707.tif 000004
【図３】
0003111707.tif 000005
【図４】
0003111707.tif 000006
【図５】
0003111707.tif 000007
【図６】
0003111707.tif 000008
【図７】
0003111707.tif 000009
【図８】
0003111707.tif 000010